【手続補正書】
【提出日】平成17年5月30日(2005.5.30)
【手続補正１】
【補正対象書類名】明細書
【補正対象項目名】特許請求の範囲
【補正方法】変更
【補正の内容】
【特許請求の範囲】
【請求項１】
一対の側壁を具備し、これら側壁のそれぞれは共通の円筒からなり直径方向に対向する円筒状部分と該円筒状部分に接していて該円筒状部分のそれぞれに一体化した直線状部分とを備えた中心部分を有しており、前記側壁はこれら側壁の両端部において一緒に接合されてカヌー形状部を形成しており、
さらに、
前記カヌー形状部の頂部側縁部に接合していて前記カヌー形状部の両端部において前記円筒状部分と前記接合された端部との間に広がるカバーを具備し、該カバーは前記側壁を指示するだけの支持部であり、
さらに、
接合された前記側壁の各端部に在る薄状フィンを具備し、該フィンは突出先端部からなる延長部を含んでいるプラスチック製可撓性取付具。
【請求項２】
さらに、前記側壁の外面において間隔を空けて配置された多数の周方向隆起リブを具備する請求項１に記載の取付具。
【請求項３】
前記リブが前記接合された側壁の端から端まで延びている請求項２に記載の取付具。
【請求項４】
さらに、前記側壁から離間された前記共通の円筒状部文と同軸に延びる円筒形状首部を具備する請求項１に記載の取付具。
【請求項５】
前記円筒形状首部周りに配置されたキャップ用ネジ山部を具備する請求項４に記載の取付具。
【請求項６】
前記キャップ用ネジ山部が前記円筒形状首部の外面に配置されている請求項５に記載の取付具。
【請求項７】
さらに、前記キャップ用ネジ山部と前記カヌー形状部の側壁との間において前記首部から半径方向外側に延びるフランジを具備する請求項４に記載の取付具。
【請求項８】
取付具をパッケージに固定する固定方法において、
パッケージ用材料からなる対面する二つのシートを形成し、
取付具の円筒状部分を膨張させるためにマンドレルを前記取付具内に挿入し、
前記対面するシートの縁部が概ね整列されている前記対面するシートの間に取付具を挿入し、前記取付具は共通の円筒からなり直径方向に対向した円筒状部分と前記円筒状部分のそれぞれに一体化した直線状部分とから形成される側壁を有しており、前記側壁はこれら側壁の両端部において一緒に接合されて、カヌー形状部を形成しており、
さらに、
前記対面するシートの縁部を前記側壁に封止しつつ、前記取付具の円筒状部分が前記マンドレルによって外方に膨張されるようにした固定方法。
【請求項９】
前記マンドレルの対向する側部から互いに向かって閉鎖する対向式封止用顎部によって、前記対面するシートの縁部が前記取付具の円筒状部分に封止される請求項８に記載の固定方法。
【請求項１０】
前記封止用顎部のそれぞれが凸部分を含むように概ね形成された外形部分を有しており、これら外形部分は前記円筒状領域の外方に在る前記カヌー形状部の弾性部分に係合してこれを封止する請求項９に記載の固定方法。
【請求項１１】
前記マンドレルが加熱される請求項１０に記載の固定方法。
【請求項１２】
対面するパッケージ用シートの間に取付具を封止するための組合せであって、前記取付具は、共通の円筒からなり直径方向に対向した円筒状部分と前記円筒状部分のそれぞれに一体化した直線状部分とから形成される側壁を有しており、前記側壁はこれら側壁の両端部において一緒に接合されてカヌー形状部を形成している組合せにおいて、
前記側壁の間に挿入されるマンドレルを具備し、該マンドレルは前記取付具の側壁を外方に膨張させるよう寸法決めされており、
さらに、
前記マンドレルの両側部から互いに向かって閉鎖するようになっている対向式封止用顎部を具備し、前記封止用顎部は、前記封止用顎部の閉鎖時に前記対面するシートを前記取付具に向かって付勢するための外形部分を有している組合せ。
【請求項１３】
前記封止用顎部の前記外形部分のそれぞれは前記顎部の閉鎖時に前記マンドレルに対して非線形である凸部を含んでおり、前記閉鎖用顎部が閉鎖するときに前記封止用顎部の凸部は前記対面するシートを前記取付具に向かって付勢する請求項１２に記載の組合せ。
【請求項１４】
さらに、前記外形部分の両側部において前記封止用顎部の平坦部分を具備する請求項１３に記載の組合せ。
【手続補正２】
【補正対象書類名】明細書
【補正対象項目名】００１０
【補正方法】変更
【補正の内容】
【００１０】
取付具２２はカヌー状ベース２４から上方に延びる円筒形中心首部１８を含んでいる。カヌー状ベース２４は側壁２６、２８から形成されており、各側壁２６、２８は、直線状セグメント３４、３６と直線状セグメント３８、４０とが接して一体になっている湾曲型中心部分３０、３２より形成されている。側壁２６、２８は薄状フィン４２、４４が延びる場所において側壁２６、２８の両端部にて接合されている。重要なことには、側壁を支持する内方リブまたは内方ガセット（ｇｕｓｓｅｔ）が存在しておらず、さらに支持作用はカヌー状部分の頂部においてカバー部分４６、４８のみにより行われている（図２および図３を参照されたい）。結果的に取付具の側壁は十分に可撓性でかつ弾性である。取付具をパッケージ用フィルムに取り付けるのを容易にするために、一連の水平方向隆起状リブ５０が側壁の端から端まで延びている。リブ５０の質量が比較的小さいので、加熱式封止用顎部の駆動時にこれらリブ５０をパッケージ用フィルムに容易に融合させられる。融合作用の速度はヒートシンクとして作用するカヌー状部分の側壁２６、２８および直線状セグメント３４、３６、３８、４０の質量により助勢されて、顎部の開放時にリブの凝固を迅速にすることができる。フランジ５２はカヌー状部分の側壁と円筒形状首部のキャップ用ネジ山部２０の領域との間において円筒形中心首部１８から半径方向外側に延びている。フランジ５２は取付具をパッケージ用フィルムに取り付けるのを容易にする役目を果たし、従って、フランジ５２は取付プロセス時に取付具のほうを適切に向くように形成されている。
【手続補正３】
【補正対象書類名】明細書
【補正対象項目名】００１１
【補正方法】変更
【補正の内容】
【００１１】
図２を参照すると、取付具２２をパッケージ用フィルム６０、６２のシートに接合するのに使用される封止装置の封止用顎部５４、５６とマンドレル５８とが示されている。明確にするために、底部側封止用顎部５４および底部側フィルム６０のみが詳細に示されている。底部側封止用顎部５４と同一であるが反転させた形状である頂部側封止用顎部５６と頂部側フィルム６２とは部分的に除去されている。マンドレル５８は長方形状でかつ特大であるのが好ましい。結果的に、マンドレルを取付具２２内に挿入するときに、側壁２６、２８はマンドレルの表面上において延伸され、カヌー状ベースの部分を高度に制御して正確に位置決めできるようになる。取付具を受容するよう概ね形成された係合部分７２を有する封止用顎部５４、５６は凸部６４、６６も有しており、これら凸部はカヌー状部分の不支持部分（３８、４０）に接触し、封止用顎部５４、５６が溶融用フィン４２、４４上に把持されるまで熱と圧力とをカヌー状部分の不支持部分に加える。フィンが溶融するときに、ポーチ用フィルムの表面が圧縮され、ポーチの頂部が封止される。これにより、いくらかの寸法変更または他の歪みが取付具に存在する場合でさえ、確実な封止作用を取付具とパッケージ用シートとの間に常に形成するという高度に制御されて予測可能な関係を得ることができる。封止用顎部５４、５６は取付具を受容するよう形成された外形部分７２の両側に平坦部分６８、７０をさらに有している。封止用顎部が閉鎖するときに、パッケージ１０の頂部を形成するために平坦部分６８、７０はパッケージ用フィルムの頂部側縁部を取付具の両側において一緒に封止し、同時に取付具をパッケージに固定する。この点に関し、カヌーの端部におけるフィン４２、４４は顎部によるシートの封止部と取付具の封止部との間の円滑な移行を許容する役目を果たす。フィルム・シートの封止作用をさらに容易にするためにマンドレルを加熱してもよい。
従って、前述した内容に基づいて、前述した目的を効果的に達成することができる。
【手続補正４】
【補正対象書類名】図面
【補正対象項目名】図１
【補正方法】変更
【補正の内容】
【図１】
2003072781.tif 000001